(57)【要約】【課題】遊技盤分離式のパチンコ機において、更なる低コスト化、省資源化を図る。【解決手段】パチンコ機本体１と、この本体１に着脱自在に取り付けられる遊技盤２と、この遊技盤２の盤面２ａ側方側の、遊技領域２ｂ外部分を飾るサイド飾り４とを備えるパチンコ機において、サイド飾り４を本体１に取り付けることにして、本体１と同様、サイド飾り４も遊技盤２の入替えに拘わらず継続使用（再利用）可能にした。【選択図】        図１
2004154232.tif 000002
【特許請求の範囲】
【請求項１】
パチンコ機本体と、この本体に着脱自在に取り付けられる遊技盤と、この遊技盤の盤面側方側又は下方側の所定領域を飾る飾り部材とを備えるパチンコ機において、前記飾り部材が前記本体に取り付けられることを特徴とするパチンコ機。
【請求項２】
請求項１に記載の発明において、遊技盤はパチンコ機本体の一部を構成する本体枠内に着脱自在に取り付けられ、前記遊技盤の盤面側方側の所定領域を飾る飾り部材が、閉成時には本体枠内に取り付けられた遊技盤の盤面側方側の所定領域を覆い、開放時には前記遊技盤を着脱させ得る位置に移動可能に、前記本体枠に開閉自在に取り付けられることを特徴とするパチンコ機。
【発明の詳細な説明】
【０００１】
【発明の属する技術分野】
本発明は、遊技盤がパチンコ機本体に着脱自在に構成される、いわゆる分離式のパチンコ機に関するものである。
【０００２】
【従来の技術】
パチンコ機は、通常、本体枠に遊技球の発射装置や受け皿等が取り付けられてなるパチンコ機本体（以下、本体と略記する。）と、この本体に取り付けられた遊技盤とからなる。
当初、パチンコ機の遊技盤は、一旦、本体に取り付けられると取外しのきかない固定式に構成されていたが、近年は、分離式、つまり本体に対して着脱自在に構成されるようになってきた（例えば、特許文献１参照）。本体は継続して使い、遊技盤は新規なものを使うというようにすれば、機種入替え時のコスト低減や、本体の再利用による省資源化が図れるからである。
【０００３】
【特許文献１】
特開平１−１７１５８５号公報（第３頁左下欄）
【０００４】
【発明が解決しようとする課題】
しかしながら最近では、更なる低コスト化や省資源化がすすめられきており、この点について一層の配慮が望まれている。
本発明は、上記のような実情に鑑みなされたもので、更なる低コスト化、省資源化が図れるパチンコ機を提供することを目的とする。
【０００５】
【課題を解決するための手段】
上記目的を達成するために、請求項１に記載の発明は、パチンコ機本体と、この本体に着脱自在に取り付けられる遊技盤と、この遊技盤の盤面側方側又は下方側の所定領域を飾る飾り部材とを備えるパチンコ機において、前記飾り部材が前記本体に取り付けられることを特徴とする。
【０００６】
請求項２に記載の発明は、請求項１に記載の発明において、遊技盤はパチンコ機本体の一部を構成する本体枠内に着脱自在に取り付けられ、前記遊技盤の盤面側方側の所定領域を飾る飾り部材が、閉成時には本体枠内に取り付けられた遊技盤の盤面側方側の所定領域を覆い、開放時には前記遊技盤を着脱させ得る位置に移動可能に、前記本体枠に開閉自在に取り付けられることを特徴とする。
【０００７】
【発明の実施の形態】
以下、本発明の実施の形態を図面に基づき説明するが、それに先立ち、まず本発明がなされた経緯について述べる。
すなわち、パチンコ機の遊技盤の盤面側方側の領域は、サイド飾りと称される飾り部材によって覆われることが多い。遊技盤の遊技領域はほぼ円形であり、外形状がほぼ四角形の盤面から見れば、上下の隅部を含む盤面側方側の領域は余白部分となり、したがって、その部分を飾ろうとするものである。
しかし実際には、パチンコ機正面からサイド飾り全面が見えるわけではなく、また、サイド飾りには、通常、証紙を貼る領域を確保する必要もある。このため、サイド飾りは機種への依存度が強くなることはなく、汎用性をもたせることは困難でない。
そこで本発明では、従来、遊技盤（盤面）に固着されていたサイド飾りを本体側に取り付けることにし、機種変更等における遊技盤の入替えに拘わらず、本体と同様、サイド飾りも継続使用（再利用）可能にした。
なお、盤面下方側の領域（盤面下側の隅部を含む）を飾る飾り部材を上記サイド飾りに代えて本体側に取り付けてもよい。
【０００８】
図１は、本発明によるパチンコ機の一実施形態を分解して示す正面図である。この図において、１はパチンコ機本体で、縦長四角形の本体枠１ａの下方側に、遊技球の発射装置（ハンドル１ｂのみ図示）や受け皿１ｃ等が取り付けられてなる。
遊技盤２は、上記本体１に、具体的には本体枠１ａ内の上方側の所定位置に着脱自在に取り付けられる（矢印イ参照）。この遊技盤２の盤面２ａには、上記ハンドル１ｂの操作により発射された遊技球（図示せず）を盤面２ａの左側上部から遊技領域２ｂへ送り込むためのガイドレール２ｃ，２ｄや、図柄表示装置２ｅ、入賞口２ｆ、アウト口２ｇ等が設けられている。また、多数の遊技釘２ｈ…（一部のみ図示）が打ち込まれている。
ガラス扉３は、本体枠１ａ内に取り付けられた遊技盤２の盤面２ａを開閉自在に本体枠１ａの左辺側に取り付けられている。図において、ガラス扉３は半開き状態となっている。
【０００９】
サイド飾り４は、遊技盤２の盤面側方側、ここでは右方側の所定領域を飾る飾り部材である（図中、２点鎖線で示すサイド飾り４参照）。図示例のように右方側を飾る場合には、サイド飾り（右サイド飾り）４は、上記ガイドレール２ｄの先端部分に連なって、遊技領域２ｂの右方側部分をほぼ円弧状に仕切る壁面４ａをも有して形成される。
このサイド飾り４が飾る領域は、具体的には盤面形状（ほぼ四角形）から遊技領域形状（ほぼ円形）を除いた部分、つまり余白部分のうちの右方側の任意に設定された領域（設定領域）である。
またこのサイド飾り４は、遊技盤２から別個独立に構成され、本体枠１ａに開閉自在に取り付けられている。この場合、サイド飾り４は、本体１（本体枠１ａ内）に対する遊技盤２の着脱を阻害しないように、閉成時には遊技盤２の上記設定領域を覆う（飾る）が、開放時には遊技盤２を着脱させ得る位置に移動可能に取り付けられている。図中、２点鎖線は閉成時のサイド飾り４を、実線は開放時のサイド飾り４を示す。
【００１０】
サイド飾り４は、ここでは一対のヒンジ５，５によって本体枠１ａの右辺内面１ｄに開閉自在に取り付けられている。
図２は、図１中の上側のヒンジ５部分を、サイド飾り４が盤面２ａに対してほぼ直角に開いた状態において、図１中の矢印ロ方向から拡大して示す図である。この図２に示すように、ヒンジ５の、本体枠１ａに支持される側の回動片５ａの取付孔５ｂは、図２中、左右方向（盤面２ａの前後方向）に横長に形成されている。そして、回動片５ａの本体枠１ａへの取付けは、サイド飾り４を、取付孔５ｂの長さ寸法に応じた距離だけ矢印ハに示すようにスライド自在に遊びをもってねじ止めされている。
【００１１】
図２は、サイド飾り４を盤面２ａの前方にスライドさせた状態で示しており、この状態においては、サイド飾り４はその開閉支点であるヒンジ５の枢支部が本体枠１ａの内面１ｄ対向位置より外側（図２中、右側）に逃げるので、図１中の実線に示す位置に容易に開放可能となる。したがって、図１に示すようにガラス扉３も開放することにより、遊技盤２は本体１に対して容易に着脱できる。
本体１に遊技盤２が装着された後、サイド飾り４を、開放状態から閉じてゆき、その過程で図２中、左方向にスライドし、盤面２ａ側に閉じれば、サイド飾り４は上記設定領域を覆う（飾る）。その後、ガラス扉３も盤面２ａ側に閉じることにより、パチンコ機の遊技盤取付作業が終了する。
遊技盤２を本体１から取り外す手順は、上述取付作業の手順と逆になる。
【００１２】
このようなパチンコ機によれば、遊技盤２を分離式に構成したことに加えてサイド飾り４を本体枠１ａに取り付けたので、遊技盤２の入替え時等において、本体１のみならずサイド飾り４も継続使用（再利用）可能となり、更なる低コスト化、省資源化が図れる。
特に、遊技盤２からみれば、サイド飾り４が省略されたので、その分、遊技盤２の部品点数や組立工数が削減され、また遊技盤２の重さも減少するという利点がある。
【００１３】
上述実施形態では、サイド飾りを本体に取り付けた場合について述べたが、これのみに限定されることはない。例えば、盤面下方側、主に下方右側を飾る部材がサイド飾りに代えて取り付けられる機種については、その下方側の飾り部材を本体に取り付けるようにしてもよい。
また、左サイドの飾り部材（左サイド飾り）についても本発明を適用できるが、遊技盤の左サイド部分は遊技球の打出し部分になっている。したがって、左サイド飾りには遊技球のガイド壁も形成されることもあり、高い耐久性、寸法精度が要求される。このため、左サイド飾りについての再利用の要望は右サイド飾りに比べて小さく、したがって本発明は、主に右サイド飾りに適用される。
【００１４】
【発明の効果】
以上述べたように請求項１に記載の発明によれば、盤面の飾り部材をパチンコ機本体に取り付け、再利用可能としたので、遊技盤を本体に着脱自在に構成したパチンコ機において、更なる低コスト化、省資源化が図れる。
また請求項２に記載の発明によれば、本体に対する遊技盤の着脱時にサイド部材を開放できるので、遊技盤の着脱が容易に行える。
【図面の簡単な説明】
【図１】本発明によるパチンコ機の一実施形態を分解して示す正面図である。
【図２】図１中の上側のヒンジ部分の拡大図である。
【符号の説明】
１  本体（パチンコ機本体）
１ａ  本体枠
２  遊技盤
２ａ  盤面
２ｂ  遊技領域
３  ガラス扉
４  サイド飾り（飾り部材）
５  ヒンジ
【図１】
2004154232.tif 000003
【図２】
2004154232.tif 000004